(57)【要約】      （修正有）【課題】据置角度の調節をより容易に行えるように構成される携帯型多段書見台を提供する。【解決手段】ベース１００と、ベースに回動可能に設置されてベースに対して折り畳まれるか展開され、書籍が据え置かれる第１据置部２００と、第２据置部３００と、を含み、第１及び第２据置部は、それぞれベースの後端と前端にヒンジ部Ｈ１、Ｈ２を有し、ベースに対して互いに反対側に回動する。また、第２据置部は、第１据置部の展開に連動して回動する。【選択図】図１
0003212141.tif 000002
【実用新案登録請求の範囲】
【請求項１】
ベースと、
前記ベースに回動可能に設置されて前記ベースに対して折り畳まれるか展開され、書籍が選択的に据え置かれる第１据置部と、
前記ベースに回動可能に設置されて前記ベースに対して折り畳まれるか展開され、書籍が選択的に据え置かれる第２据置部と、を含み、
前記第１及び第２据置部は、前記ベースに対して折り畳まれるか展開されるために互いに反対側に回動する
ことを特徴とする携帯型多段書見台。
【請求項２】
前記第１据置部は、
前記ベースに対して第１ヒンジ部を中心に前記ベースに対して折り畳まれるか展開される方向に回動可能に設置され、書籍が据え置かれる長方形の第１据置板と、
前記第１据置板の一面に備えられ、書籍の一側が安着される第１案着部材と、
前記ベースに形成される貫通スロットを貫通して前記第１据置板に締結され、前記第１据置板を予め設定された位置で固定する調節ノブと、を含む
請求項１に記載の携帯型多段書見台。
【請求項３】
ベースと、
前記ベースに回動可能に設置されて前記ベースに対して折り畳まれるか展開され、書籍が据え置かれる第１据置部と、
前記ベースに回動可能に設置されて前記ベースに対して折り畳まれるか展開され、書籍が据え置かれる第２据置部と、を含み、
前記第２据置部は、前記ベースに対して展開されるように前記第１据置部の回動に連動して前記ベースに対して展開されるために回動する
ことを特徴とする携帯型多段書見台。
【請求項４】
前記第１据置部は、
前記ベースに対して第１ヒンジ部を中心に前記ベースに対して折り畳まれるか展開される方向に回動可能に設置され、書籍が据え置かれる長方形の第１据置板と、
前記第１据置板の一面に備えられ、書籍の一側が安着される第１案着部材と、
前記第１据置板の一端に備えられ、前記ベースに対して展開されるための第１据置板の回動に連動して前記ベースに対して展開されるように前記第２据置部を前記ベースに対して回動させる駆動片と、
前記ベースに形成される貫通スロットを貫通して前記第１据置板に締結され、前記第１据置板を予め設定された位置で固定する調節ノブと、を含む
請求項２に記載の携帯型多段書見台。
【請求項５】
前記第１据置部は、前記第１据置板の一面に直交する方向の回動軸を中心に回動可能であり、前記第１案着部材に形成されるガイドスロットに沿って移動可能に設置されて、前記第１据置板に据え置かれた書籍を開かれたままの状態で支持する支持アームを含む
請求項２または４に記載の携帯型多段書見台。
【請求項６】
前記第１据置部は前記ベースの後端に第１ヒンジ部を中心に回動可能に設置され、
前記第２据置部は、前記ベースの前端に前記第１ヒンジ部と平行に配置される第２ヒンジ部を中心に回動可能に設置され、
前記第１及び第２据置部が前記ベースに対して折り畳まれた状態で、前記第１据置部が前記第２据置部の上方に積層される
請求項１または３に記載の携帯型多段書見台。
【請求項７】
前記ベースは、
長方形のベース板と、
前記ベース板の両側端の後端部から情報にそれぞれ延長され、前記第１据置部を回動可能に支持するための第１ヒンジ部が貫通する貫通孔、及び前記ベースに対して展開された前記第１据置部を予め設定された位置で固定するために前記第１据置部に締結される調節ノブが貫通する貫通スロットがそれぞれ形成される一対のフランジと、を含む
請求項１または３に記載の携帯型多段書見台。
【請求項８】
前記ベースは、前記フランジに両端が連結され、前記ベースに対して展開される前記第１据置部の範囲を規制するストッパを含む
請求項７に記載の携帯型多段書見台。
【請求項９】
前記第２据置部は、
前記ベースに対して第２ヒンジ部を中心に回動可能に設置され、書籍が据え置かれる長方形の第２据置板と、
前記第２据置板の一面に平行な方向の回動軸を中心に回動可能に設置され、前記ベースに対して展開された前記第２据置板を予め設定された位置で固定するために前記ベースに備えられる支持部に支持される支持部材と、を含む
請求項１または３に記載の携帯型多段書見台。
【考案の詳細な説明】
【技術分野】
【０００１】
本考案は、携帯型多段書見台に関するものである。
【背景技術】
【０００２】
書見台とは、読書や筆記などのために書籍を据え置いて使用するものであって、２冊以上の書籍を据え置くことができるように多段に構成される。一般に、多段書見台は、予め設定された角度に傾斜して配置される第１据置部に書籍を据え置き、第１据置部とは異なる角度に傾斜して配置されるか、回動可能に設置される第２据置部に他の書籍を据え置く。よって、従来は、ユーザによる据置角度の調節が容易ではないだけでなく、相対的に体積が増加して形態性が低下する短所が発生していた。
【先行技術文献】
【特許文献】
【０００３】
【特許文献１】大韓民国登録実用新案公報第２０−９３２３号（考案の名称：多段書見台）
【考案の概要】
【考案が解決しようとする課題】
【０００４】
本考案は、上述したように従来技術による問題点を解決するためのものであって、本考案の目的は、据置角度の調節をより容易に行えるように構成される携帯型多段書見台を提供することである。
本考案の他の目的は、携帯及び使用が容易な携帯型多段書見台を提供することである。
【課題を解決するための手段】
【０００５】
上述した目的を達成するための本考案の実施例による携帯型多段書見台の一様体は、ベースと、前記ベースに回動可能に設置されて前記ベースに対して折り畳まれるか展開され、書籍が選択的に据え置かれる第１据置部と、前記ベースに回動可能に設置されて前記ベースに対して折り畳まれるか展開され、書籍が選択的に据え置かれる第２据置部と、を含み、前記第１及び第２据置部は、前記ベースに対して折り畳まれるか展開されるように反対側に回動する。
【０００６】
本考案の一様体において、前記第１据置部は、前記ベースに対して第１ヒンジ部を中心に前記ベースに対して折り畳まれるか展開される方向に回動可能に設置され、書籍が据え置かれる長方形の第１据置板と、前記第１据置板の一面に備えられ、書籍の一側が安着される第１案着部材と、前記ベースに形成される貫通スロットを貫通して前記第１据置板に締結され、前記第１据置板を予め設定された位置で固定する調節ノブと、を含む。
【０００７】
本考案の他の実施例の一様体は、ベースと、前記ベースに回動可能に設置されて前記ベースに対して折り畳まれるか展開され、書籍が選択的に据え置かれる第１据置部と、前記ベースに回動可能に設置されて前記ベースに対して折り畳まれるか展開され、書籍が選択的に据え置かれる第２据置部と、を含み、前記第２据置部は、前記ベースに対して折り畳まれるか展開されるための前記第１据置部の回動に連動して前記ベースに対して展開されるために回動する。
【０００８】
本考案の実施例の様体において、前記第１据置部は、前記ベースに対して第１ヒンジ部を中心に前記ベースに対して折り畳まれるか展開される方向に回動可能に設置され、書籍が据え置かれる長方形の第１据置板と、前記第１据置板の一面に備えられ、書籍の一側が安着される第１案着部材と、前記第１据置板の一端に備えられ、前記ベースに対して展開されるための第１据置板の回動に連動して前記ベースに対して展開されるように前記第２据置部を前記ベースに対して回動させる駆動片と、前記ベースに形成される貫通スロットを貫通して前記第１据置板に締結され、前記第１据置板を予め設定された位置で固定する調節ノブと、を含む。
【０００９】
本考案の実施例の様態において、前記第１据置部は、前記第１据置板の一面に直交する方向の回動軸を中心に回動可能であり、前記第１案着部材に形成されるガイドスロットに沿って移動可能に設置されて、前記第１据置板に据え置かれた書籍を開かれたままの状態で支持する支持アームを更に含む。
【００１０】
本考案の実施例の様態において、前記第１据置部は前記ベースの後端に第１ヒンジ部を中心に回動可能に設置され、前記第２据置部は、前記ベースの前端に前記第１ヒンジ部と平行に配置される第２ヒンジ部を中心に回動可能に設置され、前記第１及び第２据置部が前記ベースに対して折り畳まれた状態で、前記第１据置部が前記第２据置部の上方に積層される。
【００１１】
本考案の実施例の様態において、前記ベースは、長方形のベース板と、前記ベース板の両側端の後端部から上方にそれぞれ延長され、前記第１据置部を回動可能に支持するための第１ヒンジ部が貫通する貫通孔、及び前記ベースに対して展開された前記第１据置部を予め設定された位置で固定するために前記第１据置部に締結される調節ノブが貫通する貫通スロットがそれぞれ形成される一対のフランジと、を含む。
【００１２】
本考案の実施例の様態において、前記ベースは、前記フランジに両端が連結され、前記ベースに対して展開される前記第１据置部の範囲を規制するストッパを更に含む。
【００１３】
本考案の実施例の様態において、前記第２据置部は、前記ベースに対して第２ヒンジ部を中心に回動可能に設置され、書籍が据え置かれる長方形の第２据置板と、前記第２据置板の一面に平行な方向の回動軸を中心に回動可能に設置され、前記ベースに対して展開された前記第２据置板を予め設定された位置で固定するために前記ベースに備えられる支持部材と、を含む。
【考案の効果】
【００１４】
本考案の実施例によると携帯型多段書見台によると、以下のような効果が期待される。
まず、本考案の実施例では、書籍が据え置かれる第１及び第２据置部がベースにそれぞれ回動可能に設置される。よって、本発明の実施例によると、書籍の角度をより容易に調節することができるようになる。
また、本考案の実施例では、第１及び第２据置部がベースに対して折り畳まれた状態で上下に積層されるか、第１及び第２据置部がベースに対して展開される過程で第２据置部が第１据置部の回動に連動して回動する。よって、本発明の実施例によると、形態及び使用がより容易で効率的に行われるようになる。
【図面の簡単な説明】
【００１５】
【図１】本考案の第１実施例による携帯型多段書見台が折り畳まれた状態を示す斜視図
【図２】本考案の第１実施例が書籍を据え置くために展開された状態を示す斜視図
【図３】本考案の第１実施例が完全に展開された状態を示す斜視図
【図４】本考案の第１実施例による携帯型多段書見台が折り畳まれた状態から展開される過程を示す動作状態図
【図５】本考案の第１実施例による携帯型多段書見台が折り畳まれた状態から展開される過程を示す動作状態図
【図６】本考案の第１実施例による携帯型多段書見台が折り畳まれた状態から展開される過程を示す動作状態図
【図７】本考案の第２実施例による携帯型多段書見台が完全に展開された状態を示す斜視図
【図８】本考案の第３実施例による携帯型多段書見台が折り畳まれた状態から展開される過程を示す動作状態図
【図９】本考案の第３実施例による携帯型多段書見台が折り畳まれた状態から展開される過程を示す動作状態図
【図１０】本考案の第３実施例による携帯型多段書見台が折り畳まれた状態から展開される過程を示す動作状態図
【考案を実施するための形態】
【００１６】
以下、本考案の第１実施例による携帯型多段書見台の構成を添付した図面を参照して詳細に説明する。
図１は本考案の第１実施例による携帯型多段書見台が折り畳まれた状態を示す斜視図であり、図２は本考案の第１実施例が書籍を据え置くために展開された状態を示す斜視図であり、図３は本考案の第１実施例が完全に展開された状態を示す斜視図である。
【００１７】
図１乃至図３を参照すると、本発明の形態型多段書見台１は、ベース１００、第１据置部２００、及び第２据置部３００を含む。実質的に前記第１及び第２据置部２００、３００は書籍が据え置かれるところであり、前記ベース１００に回動可能に設置されて前記ベース１００に対して折り畳まれるか展開される。
【００１８】
より詳しくは、前記ベースは１００は、ベース板１１０及び一対のフランジ１２０を含む。前記ベースは１００は長方形の板状に形成され、実質的に前記ベースは１００に対して折り畳まれた前記第１及び第２据置部２００、３００が前記ベース板１１０の上方に積層される。そして、前記フランジ１２０は、前記ベース板１００の両側端の後端部から上方にそれぞれ延長される。前記フランジ１２０には、貫通孔１２１及び関数スロット１２３がそれぞれ形成される。前記貫通孔１２１は、前記第１据置部２００を回動可能に支持するための第１ヒンジ部Ｈ１が貫通するところである。前記貫通スロット１２３は、前記ベース１００に対して展開された前記第１据置部２００を予め設定された位置で固定するために後述する調節ノブ２６０が貫通するところである。
【００１９】
本実施例では、前記ベース１００がストッパ１３０を更に含む。前記ストッパ１３０は、前記フランジ１２０に両端が連結され、前記ベース１００に対して展開される前記第１据置部２００の範囲を規制する役割をする。言い換えると、前記第１ヒンジ部Ｈ１を中心に前記ベースに対して展開される方向に回動する前記第１据置部２００は、前記ストッパ１３０に接触される位置まで回動するようになる。
また、前記ベース１００が支持部１４０を更に含む。前記支持部１４０は、前記ベース１００に対して展開された前記第２据置部３００を予め設定された位置で固定するために後述する支持部材３２０を支持する役割をする。本実施例おいて、前記支持部１４０は、互いに離隔されて配置される多数個の支持突起１４１、及び互いに隣接する前記支持突起１４１の間に定義される支持溝１４３を含む。
そして、前記ベース１００、実質的に前記ベース板１１０の底面にはレッグ部１５０が備えられる。前記レッグ部１５０は、前記ベース板１１０が底面に安着された状態で、底面に対して滑らないように支持する役割をする。そのために、前記レッグ部１５０は、例えばゴム材質で成形される。
【００２０】
一方、前記第１及び第２据置部２００、３００は、前記ベース１００に対して折り畳まれるか展開される方向に回動して書籍が据え置かれるところである。本実施例において、前記第１及び第２据置部２００、３００が前記ベース１００に対して折り畳まれるか展開されるように互いに反対側に回動され、前記第１及び第２据置部２００、３００が前記ベース１００に対して折り畳まれた状態で、前記第１据置部２００が前記第２据置部３００の上方に積層される。
【００２１】
より詳しくは、前記第１据置部２００は、前記ベース部１００の後端に前記第１ヒンジ部Ｈ１を中心に回動可能に設置される。本実施例において、前記第１据置部２００が、第１据置板２１０及び第１案着部材２２０を含む。前記第１据置板２１０は、前記ベース部１００に対して前記第１ヒンジ部Ｈ１を中心に回動可能に設置される。そのために、前記貫通孔２１２を貫通した前記第１ヒンジ部Ｈ１が前記第１据置板２１０の両側端の下部にそれぞれ固定される。前記第１据置板２１０は実質的に書籍が据え置かれるところであって、長方形の板状に形成される。前記第１案着部材２２０は、前記第１据置板２１０の一面、実質的に前記第１据置部２００が前記ベース１００に折り畳まれた状態で、前記ベース板１１０の上面と向かい合う前記第１据置板２１０の一面に位置する。前記第１案着部材２２０は、前記第１据置板２１０の幅方向に予め設定された長さを有する者であって、前記第１案着部材２２０にはその長さ方向にガイドスロット２２１が形成される。前記第１案着部材２２０には、前記第１据置板２１０に据え置かれた書籍の一側が安着される。
【００２２】
また、本実施例において、前記第１据置部２００が、支持アーム２４０及びメモ取付部材２５０を更に含む。前記支持アーム２４０は、前記第１据置板２１０の一面に直交する方向の回動軸を中心に回動可能に設置されて前記第１据置板２１０に据え置かれた書籍を展開された状態で支持する役割をする。また、前記支持アーム２４０は、前記第１据置板２１０に据え置かれた書籍の幅に応じて前記ガイドスロット２２１に沿って摺動する。そして、前記メモ取付部材２５０は、前記第１据置板２１０の一面に平行する方向の回動軸を中心に回動可能に設置される。前記メモ取付部材２５０は、少なくともいずれか一つの位置でその一部が前記第１据置部２００の外側に位置する。よって、ユーザは、前記第１据置部２００に書籍が据え置かれた状態でも、書籍と干渉しないように前記メモ取付部材２５０にメモなどを取り付けられるようになる。
そして、本実施例では、前記第１据置部２００が調節ノブ２６０を更に含む。前記調節ノブ２６０は、前記第１据置板２１０を予め設定された位置で固定する役割をする。そのために、前記調節ノブ２６０は、前記第１据置板２１０が前記ベース１００に対して回動して所定の位置に位置した状態で、前記貫通スロット１２３を貫通して前記第１据置板２１０に締結される。
【００２３】
一方、前記第２据置部３００は、前記ベース部１００の前端に前記第１ヒンジ部Ｈ１と平行に配置される第２ヒンジ部Ｈ２を中心に回動可能に設置される。本実施例において、前記第２据置部３００が、第２据置板３１０及び支持部材３２０を含む。前記第２据置板３１０は、前記ベース部１００に対して前記第２ヒンジ部Ｈ２を中心に回動可能に設置される。例えば、前記第２ヒンジ部Ｈ２に、図１乃至図３に示したように、前記ベース板１１０の前端及び前記第２据置板３１０が前記ベース１００に対して展開された状態で前記第２据置板３１０の下端を連結するヒンジ形態に構成される。そして、前記第２据置板３１０は実質的に書籍が据え置かれるところであって、前記第１据置板２１０と類似して長方形の板状に形成される。前記支持部３２０は、前記ベース１００に対して展開された前記第２据置部３１０を予め設定された位置で固定する役割をする。例えば、前記支持部材３２０は、全体的に「コ」の字の形状に形成され、その両端が前記第２据置板３１０の一面に平行な方向の回動軸を中心に回動可能に設置される。そして、前記支持部材３２０の一側が前記支持部１４０、実質的に前記支持溝１４３のうちいずれか一つに選択的に挿入された状態で、それに隣接する前記支持突起１４１のうちいずれか一つに支持される。
以下、本考案の第１実施例による携帯型多段書見台の作用を添付した図面を参照して詳細に説明する。
【００２４】
図４乃至図６は、本考案の第１実施例による携帯型多段書見台が折り畳まれた状態から展開される過程を示す動作状態図である。
まず、図４に示したように、本実施例では、第１及び第２据置部２００、３００がベース１００に対して折り畳まれた状態では、前記第２据置部３００の一面が前記ベース１００の上面と向かい合うように位置された後、前記第１据置部２００の一面が前記ベース１００の上面及び前記第２据置部３００の他面と向かい合うように位置される。よって、前記ベース１００と前記第１及び第２据置部２００、３００を含む携帯型多段書見台１の体積が最小化されることで、ユーザがより容易に携帯することができるようになる。
【００２５】
次に、書籍を据え置くためには、前記第１据置部３００を前記ベース１００に対して展開するために前記ベース１００に対して回動させる。つまり、前記第１据置部２００を第１ヒンジ部Ｈ１を中心に図面上の反時計方向に回動させる。よって、前記第１据置部２００は、図５に示したように、前記ベース１００から離隔され始める。このような前記第１据置部２００の回動は、図６に示したように、前記第１据置部２００の一側がストッパ１３０に接触する範囲まで行われる。
そして、前記第１据置部２００が所定の位置に位置された状態で、調節ノブ２６０を使用して前記ベース１００に対して前記第１据置部２００を固定させた状態で、前記第１据置部２００に書籍を据え置くことができる。この際、ユーザは、支持アーム２４０を使用して前記第１据置部２００に据え置かれた書籍を開かれたままの状態で支持するか、メモ取付部材２５０を前記第１据置部２００に対して回動させた状態でこれにメモなどを取り付ける。
【００２６】
一方、図５及び図６に示したように、前記第１据置部２００が前記第１ヒンジ部Ｈ１を中心に図面上の反時計方向に回動すると、第２据置部３００を第２ヒンジ部Ｈ２を中心に図面上の時計方向に回動させる。よって、前記第２据置部３００が前記第１据置部２００と反対側に回動して、前記ベース１００に対して展開され始める。
そして、前記第２据置部３００が前記ベース１００に対して展開され始めると、ユーザは前記第２据置部３００を前記第２ヒンジ部Ｈ２を中心に回動させて、所定の位置で支持部１４０に支持されるように支持部材３２０の位置を調節する。そして、ユーザは前記第２据置部３００に他の書籍を据え置くことができる。
【００２７】
以下、本考案の第２実施例による携帯型多段書見台を添付した図面を参照して詳細に説明する。
図８は、本考案の第２実施例による携帯型多段書見台が完全に展開された状態を示す斜視図である。本実施例の構成要素のうち、上述した本考案の第１実施例の構成要素と同じ構成要素に関しては、図１乃至図７の図面符号を援用し、それに関する詳細な説明は省略する。
図８を参照すると、本実施例による携帯型多段書見台２においては、支持部１５０が凹凸部を含む。前記凹凸部は、実質的に多数個の凹溝と突出部が繰り返されることで形成される。
【００２８】
以下、本考案の第３実施例による携帯型多段書見台の構成を添付した図面を参照して詳細に説明する。
図８乃至図１０は、本考案の第３実施例による携帯型多段書見台が折り畳まれた状態から展開される過程を示す動作状態図である。本実施例の構成要素のうち、上述した本考案の第１実施例または第２実施例と同じ構成要素に関しては、図１乃至図７の図面符号を援用し、それに関する詳細な説明は省略する。
図８乃至図１０を参照すると、本実施例による携帯型多段書見台３において、第２据置部３００は、ベース１００に対して展開されるための第１据置部２００の回動に連動して前記ベース１００に対して展開されるために回動する。そのために、前記第１据置部２００は駆動片２３０を更に含む。
より詳しくは、前記駆動片２３０は、前記ベース１００に対して展開されるための前記第１据置板２１０の回動に連動して前記第２据置部３００を前記ベース１００に対して展開されるように回動する役割をする。例えば、前記駆動片２３０は、前記第１据置板２１０が前記ベース板１１０に対して展開された状態で前記第１据置板２１０の下端に備えられる。
【００２９】
よって、本実施例では、図８に示したような状態で、前記第１据置部２００を第１ヒンジ部Ｈ１を中心に図面上の反時計方向に回動させる。そして、前記第１据置部２００が予め設定された位置まで回動すると、図９に示したように、駆動片２３０が前記第２据置部３００の一側に接触される。
そして、続けて前記第１据置部２００を前記第１ヒンジ部Ｈ１を中心に図面上の反時計方向に回動させると、前記駆動片２３０によって前記第２据置部３００が第２ヒンジ部Ｈ２を中心に図面上の時計方向に回動し始める。言い換えると、前記第２据置部３００が前記第１据置部２００の回動に連動して、前記第１据置部２００とは反対方向に回動して前記ベース１００に対して展開され始める。
【００３０】
このような前記第１据置部２００の回動は、図１０に示したように、前記第１据置部２００の一側がストッパ１３０に接触する範囲まで行われる。そして、ユーザは、前記第１据置部２００が所定の位置に位置された状態で、調節ノブ２６０を使用して前記ベース１００に対して前記第１据置部２００を固定させた状態で、前記第１据置部２００に書籍を据え置くことができる。
【００３１】
このような本考案の基本的な技術思想の範疇内で、当業界の通常の知識を有する者においては他の多くの変形が可能になることはもちろんであり、本考案の権利範囲は添付した実用新案登録の請求範囲に基づく。
【符号の説明】
【００３２】
１００    ベース
１１０    ベース板
１２０    フランジ
１３０    ストッパ
１４０    支持部
１５０    レッグ部
２００    第１据置部
２１０    第１据置板
２２０    第１安着部材
２３０    駆動片
２４０    支持アーム
２５０    メモ取付部材
２６０  調節ノブ
３００    第２据置部
３１０    第２据置板
３２０    支持部材
Ｈ１、Ｈ２    ヒンジ部
【図１】
0003212141.tif 000003
【図２】
0003212141.tif 000004
【図３】
0003212141.tif 000005
【図４】
0003212141.tif 000006
【図５】
0003212141.tif 000007
【図６】
0003212141.tif 000008
【図７】
0003212141.tif 000009
【図８】
0003212141.tif 000010
【図９】
0003212141.tif 000011
【図１０】
0003212141.tif 000012